(57)【要約】      （修正有）【課題】記録動作に与える時間的なロスを最小限に抑えること、及びクリーニング動作で使用する無効となるインクの累積量を減らすこと。【解決手段】  次回の印刷時期を予告する予告コマンドを発行し、例えば予告された時期の直前に自動クリーニング動作を実行するようにした。【選択図】    図１
2005196327.tif 000002
【特許請求の範囲】
【請求項１】
記録媒体に印刷する記録データと印刷開始を指示する印刷開始コマンドを記録装置に発行する情報処理装置において、
次の印刷動作を予告する為の予告コマンド発行手段を備えることを特徴とする、情報処理装置。
【請求項２】
前記予告コマンド発行手段が発行する予告コマンドは前記印刷開始コマンドを発行する日付、又は時刻情報を含むことを特徴とする請求項1に記載の情報処理装置。
【請求項３】
前記予告コマンド発行手段が発行する予告コマンドは現時点からの経過時間情報を含むことを特徴とする請求項1に記載の情報処理装置。
【請求項４】
記録媒体に印刷する記録データを送信する記録データ送信工程と印刷開始を指示する印刷開始コマンドを記録装置に発行する印刷開始コマンド発行工程とを備える
情報処理装置の印刷プログラムにおいて、
次の印刷動作を予告する為の予告コマンド発行工程を更に備えることを特徴とする、
情報処理装置の印刷プログラム。
【請求項５】
記録ヘッドと記録ヘッドの健全な記録特性を維持するためのクリーニング手段、及び記録媒体に印刷する記録データと印刷開始を指示する印刷開始コマンドを受信するインタフェース手段を有する記録装置において、
前記インタフェース手段は次の印刷動作を予告する為の予告コマンドを受信する予告コマンド受信手段を更に備えることを特徴とする記録装置。
【請求項６】
受信した前記予告コマンドに基づき当該印刷動作以前に記録ヘッドのクリーニング動作が必要か否かを判定するクリーニング動作要否判定手段を備えることを特徴とする請求項5に記載の記録装置。
【請求項７】
前記クリーニング動作要否判定手段は前回のクリーニング動作から前記予告コマンドで指定された日時迄の経過時間が所定値を超える場合にクリーニング動作が必要と判定することを特徴とする請求項6に記載の記録装置。
【請求項８】
前記クリーニング動作要否判定手段にてクリーニング動作が必要と判定された場合、前記予告コマンドで指定された日時より以前にクリーニング動作を予約・実行するクリーニング動作予約・実行手段を備えたことを特徴とする請求項5から7に記載の記録装置。
【請求項９】
前記クリーニング動作要否判定手段は前回のクリーニング動作から前記予告コマンドで指定された日時迄の経過時間が第１の所定値を超える場合に第１のクリーニング動作が必要と判定することを特徴とする請求項6から8に記載の記録装置。
【請求項１０】
前記クリーニング動作要否判定手段は前回のクリーニング動作から前記予告コマンドで指定された日時迄の経過時間が第2の所定値を超える場合に第2のクリーニング動作が必要と判定することを特徴とする請求項9に記載の記録装置。
【請求項１１】
前記第1、又は第2の所定値は記録ヘッドで記録された累積記録画素数に関連した履歴に基づき補正することを特徴とする請求項9及び10に記載の記録装置。
【請求項１２】
前記クリーニング動作予約・実行手段にてクリーニング動作を実行する場合、動作開始以前に自動クリーニング動作である旨を知らせる自動クリーニング表示手段を有することを特徴とする請求項8から11に記載の記録装置。
【請求項１３】
記録媒体に印刷する記録データと印刷開始を指示する印刷開始コマンドを記録装置に発行する情報処理装置において、
前記記録装置に印刷開始コマンドを発行した時刻と発行回数に対応する印刷履歴を記憶する印刷履歴記憶手段と、前記印刷履歴記憶手段の記憶内容に応じて、次の印刷開始コマンドの発行時期を予告する為の予告コマンド発行手段を備えることを特徴とする、情報処理装置。
【請求項１４】
記録ヘッドと記録ヘッドの健全な記録特性を維持するためのクリーニング手段、及び記録媒体に印刷する記録データと印刷開始を指示する印刷開始コマンドを受信するインタフェース手段を有する記録装置において、
前記印刷開始コマンドの受信履歴を記憶する記憶手段と、前記受信履歴に基づき、次に記録ヘッドのクリーニングすべき日時を決定する、クリーニング時刻決定手段を備えることを特徴とする記録装置。
【請求項１５】
前記クリーニング時刻決定手段により決定される記録ヘッドのクリーニングすべき日時は前記印刷開始コマンドの受信履歴に基づき、記録動作と重複しないように設定されることを特徴とする請求項14に記載の記録装置。
【請求項１６】
前記記録ヘッドのクリーニング動作とは記録ヘッド内部のインクをノズル列外部から強制吸引する動作を含むことを特徴とする請求項1から15に記載の記録装置。
【請求項１７】
前記記録ヘッドのクリーニング動作とは記録ヘッド内部のインクを内部から加圧することによりノズル列外部へインクの強制排出する動作を含むことを特徴とする請求項1から15に記載の記録装置。
【請求項１８】
前記記録ヘッドのクリーニング動作とは記録ヘッドのノズル列近傍のインクを払拭する動作を含むことを特徴とする請求項1から15に記載の記録装置。
【請求項１９】
前記記録ヘッドのクリーニング動作とは記録ヘッドのノズル列から記録媒体に記録するインクとは別の予備的な吐出動作を含むことを特徴とする請求項1から15に記載の記録装置。
【発明の詳細な説明】
【技術分野】
【０００１】
本発明は、インクジェット記録装置の記録ヘッド回復動作に関する技術である。
【背景技術】
【０００２】
インクジェット方式の記録装置では、記録ヘッドの健全な記録性能を維持、或いは性能を回復するために、ある条件が成立する度に記録ヘッドの回復動作（又はクリーニング動作）を行なうようにしている。
【０００３】
クリーニング動作は通常複数のモードを持ち、その中でノズル列外部からインクを強制的に吸引しその後ワイパブレード等によって払拭（ワイプ）する動作を伴うものがある。又記録ヘッドの内部液室を加圧しノズル列からインクを強制的に排出させ、その後ワイパブレード等によって払拭（ワイプ）する動作を伴う方法もある。
【０００４】
何れの場合も記録動作は一旦中断せざるを得ない。
【０００５】
クリーニング動作による記録動作の中断を回避するために従来、記録データが印刷バッファに残っていない時や電源スイッチがオフ状態に設定されている間に上記のクリーニング動作を行なうようにしたものがある。
（例えば特許文献１）
又ホストコンピュータと双方向インタフェースで通信可能な記録装置の場合には、内蔵タイマの時刻をホストコンピュータの時刻に設定し、この時刻を基にした（記録動作の）印刷履歴を保存し、もし次回の印刷動作途中、クリーニング動作が必要になると判断した場合には、予め印刷前にクリーニング動作を完了しておくようにする方法もある。
（例えば特許文献2）
【０００６】
【特許文献１】特開平11-320912（第5〜6頁、図6）
【特許文献２】特開平11-129487（第2〜4頁、図3）
【発明の開示】
【発明が解決しようとする課題】
【０００７】
しかしながら上記特許文献1による方法では長い期間、例えば数週間記録動作しないような場合にもクリーニング動作だけが一定期間毎に実行されることになるので、クリーニングに用いられる比較的多量のインクが無駄に消費される懸念がある。
【０００８】
又、上記特許文献2による方法では時刻設定のための時刻信号を受信するために、ホストコンピュータは原則的に常時ON状態にする必要があり、省エネルギの観点から工夫の余地があることと、
次回の印刷時期が不明であるため、やはり過度なクリーニングによるインクの無駄が生じる懸念がある。
【課題を解決するための手段】
【０００９】
以上に鑑みて本発明は為された。
【００１０】
クリーニング動作の割り込みによって記録動作の中断をさせず、且つ記録動作時には常に健全な記録性能を維持できる方法に着眼し、本発明では下記に述べる各手段を実施した。
【００１１】
即ち本発明の情報処理装置は、
記録媒体に印刷する記録データと印刷開始を指示する印刷開始コマンドを記録装置に発行する情報処理装置において、
次の印刷動作を予告する為の予告コマンド発行手段を備えることを特徴とする。
【００１２】
又本発明の情報処理装置は、
前記予告コマンド発行手段が発行する予告コマンドは前記印刷開始コマンドを発行する日付、又は時刻情報を含むことを特徴とする。
【００１３】
又本発明の情報処理装置は、
前記予告コマンド発行手段が発行する予告コマンドは現時点からの経過時間情報を含むことを特徴とする。
【００１４】
又本発明による情報処理装置の印刷プログラムは、
記録媒体に印刷する記録データを送信する記録データ送信工程と印刷開始を指示する印刷開始コマンドを記録装置に発行する印刷開始コマンド発行工程を備え、且つ次の印刷動作を予告する為の予告コマンド発行工程を更に備えることを特徴とする。
【００１５】
本発明の記録装置は、
記録ヘッドと記録ヘッドの健全な記録特性を維持するためのクリーニング手段、及び記録媒体に印刷する記録データと印刷開始を指示する印刷開始コマンドを受信するインタフェース手段を有し、且つ前記インタフェース手段は次の印刷動作を予告する為の予告コマンドを受信する予告コマンド受信手段を更に備えることを特徴とする。
【００１６】
又本発明の記録装置は、
受信した前記予告コマンドに基づき当該印刷動作以前に記録ヘッドのクリーニング動作が必要か否かを判定するクリーニング動作要否判定手段を備えることを特徴とする。
【００１７】
又本発明の記録装置は、
前記クリーニング動作要否判定手段は前回のクリーニング動作から前記予告コマンドで指定された日時迄の経過時間が所定値を超える場合にクリーニング動作が必要と判定することを特徴とする。
【００１８】
又本発明の記録装置は、
前記クリーニング動作要否判定手段にてクリーニング動作が必要と判定された場合、前記予告コマンドで指定された日時より以前にクリーニング動作を予約・実行するクリーニング動作予約・実行手段を備えたことを特徴とする。
【００１９】
又本発明の記録装置は、
前記クリーニング動作要否判定手段は前回のクリーニング動作から前記予告コマンドで指定された日時迄の経過時間が第１の所定値を超える場合に第１のクリーニング動作が必要と判定することを特徴とする。
【００２０】
又本発明の記録装置は、
前記クリーニング動作要否判定手段は前回のクリーニング動作から前記予告コマンドで指定された日時迄の経過時間が第2の所定値を超える場合に第2のクリーニング動作が必要と判定することを特徴とする。
【００２１】
又本発明の記録装置は、
前記第1、又は第2の所定値は記録ヘッドで記録された累積記録画素数に関連した履歴に基づき補正することを特徴とする。
【００２２】
又本発明の記録装置は、
前記クリーニング動作予約・実行手段にてクリーニング動作を実行する場合、動作開始以前に自動クリーニング動作である旨を知らせる自動クリーニング表示手段を有することを特徴とする。
【発明の効果】
【００２３】
本発明を実施する事によって次に予定された印刷ジョブの時期に見合って、クリーニング動作の要否、及びクリーニングが必要な場合、最適な時刻を選択できるので、記録動作に与える時間的なロスを最小限に抑えられることと、過度なクリーニング動作を省略できるため、クリーニング動作で使用する無効となるインクの累積量を減らすことが出来る。
【発明を実施するための最良の形態】
【００２４】
図１は本発明を実施した情報処理装置（PC）100、及び記録装置101がインタフェースケーブル103で接続された状態を示したもので、記録装置101の上流部には複数の記録媒体を積載する給紙トレイ102、及び記録媒体を１枚毎に分離、供給する機構部（図示せず）をもつ給紙部106と、記録終了後に排出された記録媒体をスタックするスタッカ部107から構成されている。記録装置101はインクジェット方式を用いたカラーで且つラインプリンタである。
【００２５】
105は記録装置の操作パネルで、いくつかのLED表示ランプや入力キーをもつ。記録に用いる各インクカートリッジ（図示せず）の交換はフロントカバ104を開閉して行なう。
【００２６】
本発明を実施した印刷システムの概略構成と情報処理装置の電気的なブロック図を図2に示す。
【００２７】
CPU200は、情報処理装置100全般のシステム制御を掌る中央演算処理装置である。
【００２８】
情報処理装置100では、オペレーティングシステム（Operating System）の制御下でメインCPU200が画像生成するアプリケーションや本発明に関わるプリンタドライバをはじめとした周辺装置の制御プログラム（デバイスドライバ）等を実行する。
【００２９】
メインCPU200のシステムバスはローカルバスとしての例えばPCIバス、及びISAバスと夫々、ホスト／PCIブリッジ202、及びPCI／ISAブリッジ205を経由した階層的なバスを有して各ハードウェアと接続される。
【００３０】
尚、システムバスにはキャッシュ201と呼ぶSRAM〈Static Random Access Memory〉を使用した高速のメモリをもち、メインCPU200が常時アクセスするような、コード、データを記憶する。
【００３１】
ビデオコントローラ206はVRAM（Video-RAM）207に書き込まれたRGBの表示データを連続的、且つ継続的に読み出し、CRT，LCD、PDP（Plasma Display Panel）等のディスプレイ208に画面リフレッシュ信号として継続的に転送する。
【００３２】
記録装置101との通信インタフェース209はPCIバスに接続されており、使われるインタフェースは例えばIEEE1284（双方向セントロニクス）、USB（Universal Serial Bus）、IEEE1394、ネットワーク等がある。
【００３３】
ROM212は入出力回路（図示せず）を介して接続されるキーボード214、マウス215、CDD211やFDD210等の入出力機器を制御するBIOS（Basic Input Output System）プログラム、パワーON時の初期化、自己診断プログラム等を格納し、RTC（Real Time Clock）213は現在時刻を読み出すためのクロックICである。RTC 213は情報処理装置100の電源がOFFされている時には、不図示の電池等からバックアップ用の電圧が供給される。
【００３４】
メインメモリ203はオペレーティングシステム（Operating System）、本発明によるアプリケーションプログラム、複数の記録装置101用プリンタドライバ等、実行プログラムの一時的記憶領域で且つ、各プログラム実行のための作業用メモリ領域としても用いられる。
【００３５】
これらの実行プログラムは例えばハードディスクドライブHDD204から読み出されるものである。
【００３６】
画像の印刷動作は、HDD204に格納されている印刷プログラムがメインメモリ203にロードされ、CPU200によってプログラムを実行する。
【００３７】
図3に本発明を実施した記録装置101の電気的なブロック図を示す。ホストコンピュータ100は、記録データを作成後、記録装置101のインタフェース部301に転送して記録開始を指示する。また、記録枚数、及び記録媒体の種類やサイズ等を指示するコマンドをインタフェース部301に転送して指示できる。
【００３８】
尚インタフェースコントローラ301にはCPU302とは独立したサブCPUをもって制御を分担する方法もある。
【００３９】
CPU302は後述するフローに対応するプログラムに基づき制御をおこなう。プログラムはROM303に記憶されている。
【００４０】
CPU302は受信したコマンドを解析後、メモリコントローラ306に対して、記録データの各色成分のイメージデータをVRAM（Video RAM）307にビットマップ展開して描画する動作を指示する。
【００４１】
記録前の動作処理としてCPU302は入出力ポート（I/O）312、それにモータ駆動部313を介して記録ヘッド321〜326の健全な記録性能を維持する為の回復機構（キャップ機構）を駆動するキャッピングモ−タ315、及び記録ヘッド321〜326の上下動作を行なうヘッドU/Dモータ314を相互に駆動、記録ヘッド321〜326をキャッピング位置から記録位置へ移動させる。
【００４２】
ここで各記録ヘッドは、K：ブラック、C：シアン、M：マジェンタ、Y：イエロー、LC：淡シアン、及びLM：淡マジェンタの記録色に対応したラインヘッドである。
【００４３】
記録ヘッド321〜326の移動動作とほぼ同時に用紙を給紙するための給紙モータ317、そして搬送モータ316を起動し、用紙（記録媒体）を1枚づつ記録装置本体に搬送する。定速度で搬送される用紙の記録タイミングを決定するために用紙先端検知センサ308で用紙の先端（及び後端）位置を検出する。用紙の搬送に同期して、CPU302はVRAM307から対応する色のイメージデータを順次読み出し、記録ヘッド制御回路320を介して、対応する色のインクを吐出する記録ヘッド321〜326に記録データを転送し、カラー記録する。
【００４４】
記録ヘッド321〜326の健全な記録性能を維持するためのクリーニング（回復）動作時には、記録ヘッド321〜326をキャッピング位置へ移動させ、記録ヘッド内部インクを加圧し各ノズルからインクを強制排出させるために、加圧モータ318を駆動する。
【００４５】
一つの方法としてCPU302は前回のクリーニング（回復）動作からの経過時間を基に、新たにクリーニング（回復）動作が必要か否かを判定する。現在の時刻はRTC (Real Time Clock) 330から読み出し可能で、前回のクリーニング（回復）動作時刻は不揮発性のメモリであるEEPROM 305に記憶される。尚RTC 330には記録装置101の電源がOFFの状態であっても電池331から電圧が供給される。
【００４６】
操作SW、LED311は電源ON/OFF、リセット等の操作、インク無しの警告表示、自動クリーニング動作の開始表示等に用いる。
【００４７】
CPU302は作業用のメモリとしてワークRAM304を使用する。EEPROM305は上記、前回のクリーニング（回復）動作時刻等の他、記録ヘッド321〜326相互の微小記録位置調整値等、装置特有のパラメータを保存する。
【００４８】
更に、CPU302は温度センサ309の出力をADコンバータ（ADC）310経由で読み出し〜変換した機内温度に応じて記録ヘッド321〜326の駆動パルスの補正等を行うことができる。
【００４９】
本発明を実施した情報処理装置100、記録装置101相互の動作フローを図4に示す。
【００５０】
予定された印刷ジョブがある場合（401-Yes）には情報処理装置100から記録装置101に印刷予告コマンドを発行する（402）。印刷予告コマンドの詳細は図5にて後述する。記録装置101はコマンドを受信すると（451）印刷予定日時（Time 2）を設定し、EEPROM 305に書き込む。そして設定時刻を返信（453）、情報処理装置100では指定時刻と一致したなら（403-Yes）、動作を終了し、不一致ならば（403-No）、401に戻り再度予定された印刷ジョブの有無をチェックする。
【００５１】
記録装置101側ではEEPROM 305に書き込まれている前回行なったクリーニング日時(Time 1)を参照し（454）、次に予告された印刷時刻（Time 2）迄の期間が例えば72時間以上ならば（455-Yes）、印刷開始1時間前のクリーニング動作を予約し（456）、終了する。
【００５２】
Time 1〜Time 2迄が、もし72時間未満なら（455-No）、次の印刷前のクリーニングは不要と判断して終了する。
【００５３】
続いて情報処理装置100から記録装置101に発行される各コマンドについて図5を用いて説明する。
図5-ａは印刷予告コマンドで、コマンド識別コード500の後に印刷実行予定日時501が付加される。印刷実行予定日時501の代わりに現時点から何時間後に印刷を実行するかのデータを付加する場合もある（図5-ｂの503参照）。
【００５４】
情報処理装置100には記録装置101のRTC (Real Time Clock) 330の時刻を校正するための時刻設定コマンド（図5-C参照）を持ち、必要に応じて発行する機能を有するが、その詳細は省略する。
【００５５】
本発明第２実施例では自動的にクリーニングを実行するクリーニング予約をモード設定可能である。そのコマンド構成は図5-ｄの如く識別コード506に続いて次回印刷予約時刻の初期値が送出される。尚次回印刷予約時刻の初期値507は任意に変更出来る。
【００５６】
本実施例に基づく情報処理装置100、記録装置101相互の動作フローを図6に示す。
【００５７】
情報処理装置100で、自動クリーニング予約モードが後述する画面上で設定されると（601-Yes）、予約モード設定コマンドが発行され（602）、記録装置にて受信されると（651）、次回の印刷予約時刻の初期値、例えば現時点〜14時間後と初期設定される（652）。
【００５８】
その後、図5-ａ（又は図5-ｂ）で述べた印刷予告コマンドを受信すれば652で設定された初期値は更新される。
【００５９】
次に本発明の記録装置101内部の記録ヘッド321〜326と記録媒体との物理的な位置関係と、クリーニング動作に使用するキャップ機構と記録ヘッドの相対的な位置関係について説明する。
【００６０】
図10は記録装置101内部の記録ヘッド配列を示すもので、記録媒体1001は給紙部106の給紙トレイ102から１枚毎ピックアップされた後一定速度で搬送され、記録ヘッド321〜326各々の下部を通過時に記録される。
【００６１】
画像1002の記録が完了するとスタッカ107にスタックされる。本実施例では記録媒体1001の搬送方向上流側からの記録ヘッド配列は、ブラック321⇒シアン322⇒、マジェンタ323⇒イエロー324⇒淡シアン325⇒淡マジェンタ326の順序になっている。記録ヘッド321〜326は記録動作中静止状態を保つ。即ち記録ヘッド321〜326は全てラインヘッドである。
【００６２】
次に記録ヘッド321〜326とキャップ機構、ワイパブレードとの相対的な動作について説明する。図11は記録装置101の記録部を装置前方から見た図である。
【００６３】
図11-1は記録ヘッド321〜326がキャップ機構1101〜1106にてキャップされた待機中の状態を示す。各々のキャップ機構1101〜1106には記録ヘッドのインク吐出ノズル近傍を払拭する弾性体のワイパブレード1107〜1112が備えられる。
【００６４】
図11-2は記録動作中の状態を示しており、不図示のヘッドホルダで結合された各々の記録ヘッド321〜326は各々のキャップ機構の間隙から更に下降した記録位置に移動した状態である。記録ヘッド321〜326は図の上下方向に移動可能で、ワイパブレード1107〜1112を含むキャップ機構1101〜1106は図左右方向に移動可能の為、これらの間欠的な動作で、キャップ位置⇒記録位置、或いは記録位置⇒キャップ位置に移動できる。
【００６５】
図11-3は記録ヘッド321〜326がキャップ位置からワイプ位置へ上昇した後、ワイパブレードを含むキャップ機構が図の右方向に移動してワイパブレード1107〜1112によって記録ヘッド321〜326のノズル近傍に付着したインク滴1114などをクリーニング（払拭）動作する様子を示す。
【００６６】
通常ワイパブレードによるクリーニング動作は記録ヘッドの各ノズルからインクを強制的に排出させた後実行する。即ち図11-1に示したキャップ状態において、記録ヘッド内部インクを加圧モータ318の駆動により不図示の加圧ポンプで瞬時加圧し、各ノズルから比較的多量のインクを強制的に排出させることによって、ノズルを健全な状態に回復させる。この時ノズル近傍にはインク滴が残るので、ワイパブレード1107〜1112による払拭が必要である。
【００６７】
これらの図からわかるように、上記インク強制排出〜記録ヘッド321〜326のクリーニング動作中は通常の記録動作は出来ないので、記録動作時間とクリーニング動作が重複すると時間的なロスが生じる。
【００６８】
印刷予告コマンドを受けて予約されたクリーニングを実行する記録装置101の動作フローについて図7で説明する。
【００６９】
クリーニングの予約時刻になると（701-Yes）、記録装置101のCPU302は操作パネル105上に自動クリーニング動作を開始する旨表示（702）した後、加圧モータ318を駆動することによって加圧ポンプをONし、記録ヘッド内部のインクを加圧、各ノズルからインクを強制的に排出させる（703）。所定時間続けたら（704-Yes）、加圧ポンプをOFFさせ（705）、次に記録ヘッドをキャップ位置からワイプ位置に引き上げる（706）。そして、ワイパブレードにより記録ヘッドのノズル近傍の払拭（707）〜払拭後キャップ機構をキャップ位置に戻し、記録ヘッドもキャップ位置に下げる（708）。そして健全化された各ノズルから予備的な吐出を行ない（709）、クリーニング動作が完了、最後に不揮発性メモリ（EEPROM305）領域に書き込まれているクリーニング動作時刻を更新して（710）、終了する。
【００７０】
本発明のプリンタドライバにより、印刷予告コマンドが設定されている状態を図8で説明する。
【００７１】
情報処理装置100のディスプレイ208の基本設定画面801上には予約された次の印刷予定は2008年３月28日（金）９時と設定（802）されている。
【００７２】
記録装置101は前回のクリーニング動作から72時間以内であれば記録ヘッドの健全な記録特性を維持できる仕様とする。
【００７３】
もしも前回のクリーニング動作が3月25日８時に行われていたとすれば、次の印刷時には72時間経過しているので、3月28日（金）８時、つまり印刷の1時間前に自動クリーニングが実行されることになって、記録ヘッドのクリーニングするタイミングとしては絶妙といえる。印刷予約状態の確認後ユーザは確認ボタン803で表示画面を終了する。尚ユーザは次の印刷予定時刻だけ認識出来れば良く、印刷以前にクリーニング動作が実行されるか否かに着目する必要はない。
【００７４】
本発明のプリンタドライバによる第２実施例の設定画面を図9に示す。この設定は自動クリーニングの設定、又は解除を設定部901で選択できる。図9-1は自動クリーニングモードが設定されている状態を示しており、902に次の印刷予定時刻が表示されている。
【００７５】
次に自動クリーニングモードが解除されている状態の設定画面を図9-2に示す。設定画面上の選択部903のボタンにて自動クリーニングモードはOFFと設定される。
【００７６】
このモードでは次の印刷予定時刻902は表示しなくても良い。設定を確認したらユーザは確認ボタン803で表示画面を終了する。
【産業上の利用可能性】
【００７７】
本発明は情報処理装置、情報処理装置から印刷を指示する印刷プログラム、及び記録ヘッドのクリーニングを伴うインクジェット記録装置に利用可能である。
【図面の簡単な説明】
【００７８】
【図１】本発明を実施した情報処理装置と記録装置の接続図である。
【図２】本発明を実施した情報処理装置の電気的なブロック図である。
【図３】本発明を実施した記録装置の電気的なブロック図である。
【図４】本発明による情報処理装置、記録装置相互の動作フローである。
【図５】本発明に用いる情報処理装置のコマンドを説明する図である。
【図６】クリーニング予約モード設定時の相互の動作フローである。
【図７】記録装置の自動クリーニングに関わる動作フローである。
【図８】本発明を実施したプリンタドライバの基本設定画面である。
【図９】本発明第２実施例によるプリンタドライバの設定画面である。
【図１０】記録装置の記録ヘッドと記録媒体の位置関係を示す図である。
【図１１】記録装置の記録ヘッドとキャップ機構の相対的位置を示す図である。
【符号の説明】
【００７９】
１００    情報処理装置（PC）
１０１    記録装置
２００    CPU（情報処理装置内部）
２０３    メインメモリ
２０４    ハードディスク・ドライブ
２０８    ディスプレイ
２０９    通信I/F
２１３    RTC（Real Time Clock）
３０１    インタフェースコントローラ
３０２    CPU（記録装置内部）
３０３    ROM
３０４    RAM
３０５    EEPROM
３１４    ヘッドアップダウン（U/D）モータ
３１５    キャッピングモータ
３１８    加圧モータ
３２１    記録ヘッドK （ブラック）
３２２    記録ヘッドC （シアン）
３２３    記録ヘッドM （マジェンタ）
３２４    記録ヘッドY （イエロー）
３２５    記録ヘッドLC（淡シアン）
３２６    記録ヘッドLM（淡マジェンタ）
３３０    RTC（Real Time Clock）
１００１  記録媒体
１１０１  キャップ機構K （ブラック）
１１０２  キャップ機構C （シアン）
１１０３  キャップ機構M （マジェンタ）
１１０４  キャップ機構Y （イエロー）
１１０５  キャップ機構LC（淡シアン）
１１０６  キャップ機構LM（淡マジェンタ）
１１０７  ワイパブレードK （ブラック用）
１１０８  ワイパブレードC （シアン用）
１１０９  ワイパブレードM （マジェンタ用）
１１１０  ワイパブレードY （イエロー用）
１１１１  ワイパブレードLC（淡シアン用）
１１１２  ワイパブレードLM（淡マジェンタ用）
【図４】
2005196327.tif 000003
【図５】
2005196327.tif 000004
【図６】
2005196327.tif 000005
【図７】
2005196327.tif 000006
【図１１】
2005196327.tif 000007
【図１】
2005196327.tif 000008
【図２】
2005196327.tif 000009
【図３】
2005196327.tif 000010
【図８】
2005196327.tif 000011
【図９】
2005196327.tif 000012
【図１０】
2005196327.tif 000013